(57)【要約】【課題】  鉄筋作業工が少なく、型枠作業工が不要で、施工の手間と時間が少ない低コストで長期間強度を維持可能な基礎構造を提供することを目的とする。【解決手段】  基礎構造において、構造物を支持する基礎構造であって、薄板鋼板により形成される円筒形の外枠と、前記円筒形外枠内に充填され円筒形外枠と一体とされるコンクリートと、前記薄板鋼板からなる外枠の外表面に塗布又は接着により形成される防錆効果の高い防錆材層とにより構成されることを特徴とする。【選択図】図１
2005068951.tif 000002
【特許請求の範囲】
【請求項１】
構造物を支持する基礎構造であって、薄板鋼板により形成される円筒形の外枠と、前記円筒形外枠内に充填され円筒形外枠と一体とされるコンクリートと、前記薄板鋼板からなる外枠の外表面に塗布又は接着により形成される防錆効果の高い防錆材層とにより構成されることを特徴とする円筒形基礎構造。
【請求項２】
上端筋と下端筋の少なくともいずれか一方を水平方向に格子状に配筋したことを特徴とする請求項１に記載の円筒形基礎構造。
【請求項３】
杭基礎の上端に連結されることを特徴とする請求項１又は２に記載の円筒形基礎構造。
【請求項４】
前記防錆効果の高い防錆材が、タールエポキシ樹脂塗料、変性エポキシ樹脂塗料、ポリウレタン樹脂塗料、ウレタンエラストマー、ブチルゴムシート、ポリエチレンライニング、ポリエチレンテープ、アスファルト、コールタールエナメル、塩化ビニル、エポキシ粉体塗装から選択されることを特徴とする請求項１〜３にいずれか１項に記載の円筒形基礎構造。
【発明の詳細な説明】
【技術分野】
【０００１】
本発明は、構造物を支持する基礎構造に関する。
【背景技術】
【０００２】
従来の基礎構造１３は、図３に示されるように、地盤を掘削し、割石２を設置した後、捨てコンクリート３を打設し、その上に型枠を設置し、鉄筋１４を配筋してコンクリート１５を打設し、コンクリート固化後に型枠を外して構築される。
【特許文献１】特開平１１−３６３２１号公報
【発明の開示】
【発明が解決しようとする課題】
【０００３】
しかしながら、従来の基礎構造においては、現場での地盤掘削工、鉄筋作業工、型枠作業工が多く、施工の手間と時間がかかり施工コストが高価になるという問題を有するものであった。
【０００４】
本発明は、従来の基礎構造の問題点を解消する、鉄筋作業工が少なく、型枠作業工が不要で、施工の手間と時間が少ない低コストで長期間強度を維持可能な基礎構造を提供することを目的とする。
【課題を解決するための手段】
【０００５】
本第１発明は、上記課題を解決するために、基礎構造において、構造物を支持する基礎構造であって、薄板鋼板により形成される円筒形の外枠と、前記円筒形外枠内に充填され円筒形外枠と一体とされるコンクリートと、前記薄板鋼板からなる外枠の外表面に塗布又は接着により形成される防錆効果の高い防錆材層とにより構成されることを特徴とする。
【０００６】
本第２発明は、本第１発明の基礎構造において、上端筋を水平方向に格子状に配筋したことを特徴とする。
【０００７】
本第３発明は、本第１又は第２発明の基礎構造において、杭基礎の上端に連結されることを特徴とする。
【０００８】
本第４発明は、本第１〜第３のいずれか１つの発明の基礎構造において、前記防錆効果の高い防錆材が、タールエポキシ樹脂塗料、変性エポキシ樹脂塗料、ポリウレタン樹脂塗料、ウレタンエラストマー、ブチルゴムシート、ポリエチレンライニング、ポリエチレンテープ、アスファルト、コールタールエナメル、塩化ビニル、エポキシ粉体塗装から選択されることを特徴とする。
【発明の効果】
【０００９】
本発明の外枠を薄板鋼板で形成される中空円筒形又は中空楕円形とする構成により、外枠が、内部のコンクリートを拘束する役割をしてコンクリートの補強材として機能するため、従来籠上に組まれた補強筋（主筋や帯筋）が不要となる。
また、外枠が型枠として機能するので、型枠工事が不要となる。
外枠の形状が円筒形又は楕円形であるため、コンクリート打設時に薄板鋼板により形成される外枠に引張力が働き、板厚０．５ｍｍ程度の薄板鋼板でもコンクリートの打設圧力に十分耐え得る。
外枠の外周面に防錆効果の高いタールエポキシ樹脂塗料、変性エポキシ樹脂塗料、ポリウレタン樹脂塗料、ウレタンエラストマー、ブチルゴムシート、ポリエチレンライニング、ポリエチレンテープ、アスファルト、コールタールエナメル、塩化ビニル、エポキシ粉体塗装から選択される防錆材層が形成されるため、土中でも長期間強度を維持し、基礎構造の補強材としての機能を長期間保持できる。
万が一、外枠の外表面の一部が錆びたとしても、外枠は面としての補強材として働くので、全体の補強材としての性能への影響は無視できる程度のものである。
基礎杭の杭頭に基礎構造を一体に固定することにより、より支持力の大きい基礎構造とすることができる。
【発明を実施するための最良の形態】
【００１０】
本発明の実施の形態を図により説明する。
図１（ａ）（ｂ）は、本発明の一実施形態を示すものである。基礎構造１は、地盤に掘削された穴又は溝の底に割石２を敷き、その上に捨てコンクリート３がその表面を水平にして打設される。捨てコンクリート３の上に、板厚、０．５ｍｍ程度の薄板鋼板で形成される中空円筒形又は中空楕円形の外枠４を設置する。外枠４の外周面には、タールエポキシ樹脂塗料、変性エポキシ樹脂塗料、ポリウレタン樹脂塗料、ウレタンエラストマー、ブチルゴムシート、ポリエチレンライニング、ポリエチレンテープ、アスファルト、コールタールエナメル、塩化ビニル、エポキシ粉体塗装から選択される防錆材層５が、塗布又は接着により形成される。外枠４内の上下端近傍に上端筋６と下端筋７を水平に格子状に配筋する。また、アンカーボルト８をその上部が基礎構造１から突出するように配置する。外枠４内にコンクリート９を打設し固化させる。コンクリート９の固化後に、鉄骨柱１０の下端に設置されたベースプレート１１とアンカーボルト８とを固定する。基礎構造１の周囲に土を埋め戻す。
【００１１】
土中の鋼材の腐食に影響を及ぼす要因には、土壌の物理的、科学的性質（土の組成、電気抵抗率、含水比、通気性、ｐＨ、塩分濃度、微生物の活動度、電池作用）などがある。これらの要因に対して、前記防錆効果の高い防錆材は、程度の差はあるが、電気抵抗、防水性、耐酸性、耐アルカリ性、気密性、耐微生物性が高く、適切な下地処理を行い、適切な厚さで塗装することで、建物の一般的耐用年数である５０年以上の防錆効果を持つ。また、上記の塗料を予め工場で塗布した後で建設地に運搬するが、ボルト接合部分については、現地にて塗装を行う必要がある。ほとんどの塗料は現地での部分施工が可能である。一般的な（地上露出）鉄骨の塗装は外観（見た目）を重視するので、上塗り塗装が必要であるが、土中に埋め込まれる鉄骨の塗装は外観を重視しないので、上塗りを省略することが可能であり、経済的である。土中の埋設配管（ガス、水道）に塗装する場合は、塗装の施工不良などで一箇所でも腐食が進行し、孔があいた場合は、配管としての機能が失われてしまうが、土中鋼製基礎の一箇所で錆びが進行したとしても、一般的には構造物全体の性能（耐震性など）への影響はほとんど無視できる。（錆びによる機能低下のリスクがない）
【００１２】
薄板鋼板で形成される中空円筒形又は中空楕円形の外枠４が、内部のコンクリート９を拘束する役割をし補強材として機能するため、従来、籠状に組まれた補強筋（主筋や帯筋）が不要となる。また、中空円筒形又は中空楕円形の外枠４が型枠として機能するので、型枠工事が不要となる。外枠４の形状が円筒形又は楕円形であるため、コンクリート打設時に薄板鋼板により形成される外枠４に引張力が働くため、板厚０．５ｍｍ程度の薄板鋼板でもコンクリート９の打設圧力に十分耐え得る。外枠４の外周面に防錆効果の高いタールエポキシ樹脂塗料、変性エポキシ樹脂塗料、ポリウレタン樹脂塗料、ウレタンエラストマー、ブチルゴムシート、ポリエチレンライニング、ポリエチレンテープ、アスファルト、コールタールエナメル、塩化ビニル、エポキシ粉体塗装から選択される防錆材層５が形成されるため、土中でも長期間外枠４の補強材としての強度を維持し、耐久性の高い基礎構造１を保持できる。万が一、外枠４の外表面の一部が錆びたとしても、外枠４は面としての補強材として働くので、全体の補強材としての性能への影響は無視できる程度のものである。
【００１３】
図２（ａ）（ｂ）は、本発明の他の実施形態を示すものである。この実施形態においては、基礎杭１２に基礎構造１を一体に固定したものである。基礎杭１２の杭頭周囲の地盤を掘削し、掘削した穴の底部に割石２、捨てコンクリート３を設置する。捨てコンクリート３の上に、板厚、０．５ｍｍ程度の薄板鋼板で形成される中空円筒形又は中空楕円形の外枠４を基礎杭１２の杭頭を嵌挿し、杭頭上部に突出するように設置する。外枠４の外周面には、タールエポキシ樹脂塗料、変性エポキシ樹脂塗料、ポリウレタン樹脂塗料、ウレタンエラストマー、ブチルゴムシート、ポリエチレンライニング、ポリエチレンテープ、アスファルト、コールタールエナメル、塩化ビニル、エポキシ粉体塗装から選択される防錆材層５が、塗布又は接着により形成される。外枠４内の上端近傍に上端筋６を水平に格子状に配筋する。また、アンカーボルト８をその上部が基礎構造１から突出するように配置する。外枠４内にコンクリート９を打設し固化させる。コンクリート９の固化後に、鉄骨柱１０の下端に設置されたベースプレート１１とアンカーボルト８とを固定する。基礎構造１の周囲に土を埋め戻す。
【００１４】
基礎杭１２の杭頭に、本発明の基礎構造がコンクリート９で一体に固定されるため、支持力の大きい基礎とすることができる。
【図面の簡単な説明】
【００１５】
【図１】本発明の一実施形態を示す図である。
【図２】本発明の他の実施形態を示す図である。
【図３】従来技術を示す図である。
【符号の説明】
【００１６】
１    基礎構造
２    割石
３    捨てコンクリート
４    外枠
５    防錆材層
６    上端筋
７    下端筋
８    アンカーボルト
９    コンクリート
１０  鉄骨柱
１１  ベースプレート
１２  基礎杭
１３  基礎構造
１４  鉄筋
１５  コンクリート
【図１】
2005068951.tif 000003
【図２】
2005068951.tif 000004
【図３】
2005068951.tif 000005